(57)【要約】【課題】ユーザが容易且つ速やかに通信機能や電磁波を発生する機能のオンオフを切り替えることが可能な電子時計を提供する。【解決手段】所定強度以上の電磁波の送信、受信及び発生のうち少なくとも何れかを伴う電磁波動作手段と、情報の表示を行う表示手段と、表示手段による表示内容を、複数の機能に係る表示内容間で切り替える所定の操作を受け付ける操作手段と、操作手段が第１所定時間連続的に所定の操作を受け付け続けた場合に、表示手段の表示内容を所定の基本機能に係る基本表示とする出力制御手段と、操作手段が第１所定時間より長い第２所定時間連続的に所定の操作を受け付け続けた場合に、電磁波動作手段の動作可否を動作可能状態と動作禁止状態との間で切り替える電磁波動作設定手段と、を備える。【選択図】図３
2015184236.tif 000002
【特許請求の範囲】
【請求項１】
所定強度以上の電磁波の送信、受信及び発生のうち少なくとも何れかを伴う電磁波動作手段と、
情報の表示を行う表示手段と、
前記表示手段による表示内容を、複数の機能に係る表示内容間で切り替える所定の操作を受け付ける操作手段と、
前記操作手段が第１所定時間連続的に前記所定の操作を受け付け続けた場合に、前記表示手段の表示内容を所定の基本機能に係る基本表示とする出力制御手段と、
前記操作手段が前記第１所定時間より長い第２所定時間連続的に前記所定の操作を受け付け続けた場合に、前記電磁波動作手段の動作可否を動作可能状態と動作禁止状態との間で切り替える電磁波動作設定手段と、
を備えることを特徴とする電子時計。
【請求項２】
前記出力制御手段は、少なくとも前記基本表示が行われている間、前記表示手段に前記動作可否に応じた表示を行わせることを特徴とする請求項１記載の電子時計。
【請求項３】
前記出力制御手段は、前記表示手段の現在の表示内容に係らず、前記操作手段が前記第１所定時間連続的に前記所定の操作を受け付け続けた場合に、前記基本表示とすることを特徴とする請求項１又は２記載の電子時計。
【請求項４】
前記表示手段は、前記複数の機能の各々を示す機能標識及び前記動作禁止状態を示す禁止標識が設けられた文字盤と、前記文字盤に対して回動可能に配置された指針と、を有し、
前記出力制御手段は、前記表示手段に前記基本表示を行わせていない場合に、前記表示手段による表示内容に係る機能に対応する前記機能標識を前記指針に指し示させ、前記基本表示を行わせている場合に、前記指針に前記禁止標識を指し示させることで前記動作禁止状態を示す表示を行う
ことを特徴とする請求項２又は３記載の電子時計。
【請求項５】
所定の報知音を出力する音声出力手段を備え、
前記出力制御手段は、前記動作可否の切り替え時に、前記表示手段による表示内容の切り替え時に出力する報知音とは異なるパターンで報知音出力を行わせる
ことを特徴とする請求項１〜４の何れか一項に記載の電子時計。
【発明の詳細な説明】
【技術分野】
【０００１】
この発明は、無線通信機能や電波受信機能を有する電子時計に関する。
【背景技術】
【０００２】
近年、Bluetooth（登録商標）といった無線通信機能を有し、電波の送受信を行う機能を有する電子時計がある。また、ＧＰＳ（Global Positioning System）といった測位システムに係る衛星からの電波を受信可能な電子時計がある。これらの電波送受信機能により、電子時計は、ユーザに多様な機能を提供している。
【０００３】
現在、他の電子機器と無線通信を行う機能を有する電子機器は、航空機の運航の安全に支障を及ぼすおそれのある使用制限電子機器に該当し、航空機のドアの閉鎖中における使用が禁止されている。従って、ユーザは、航空機への搭乗時にこのような電子機器の電源をオフする必要がある。
【０００４】
しかしながら、常時利用される電子時計では、電源をオフすることが想定されておらず、電波発信部の動作を停止し忘れるという問題が生じる。これに対し、特許文献１には、予め空港などの位置を登録しておき、測位衛星を用いた測位データに基づいて空港や航空機内などで自動的に機内モードへの切替などを行う技術について開示されている。また、特許文献２には、測位衛星の電波を受信して、離陸直前の位置及び速度の変化や着陸直後の位置及び速度の変化を検出して、自動的に機内モードの設定や解除を行う技術について開示されている。
【先行技術文献】
【特許文献】
【０００５】
【特許文献１】特表２０１１−５１４０２６号公報
【特許文献２】特開２０１３−１７１８１号公報
【発明の概要】
【発明が解決しようとする課題】
【０００６】
しかしながら、ＧＰＳ受信機は、使用時に強い電磁波が発生するものとして、離着陸時には使用が禁止される電子機器とされており、現状では、測位システムの利用が困難であるという課題がある。また、このような自動切換えの場合、電波受信の失敗などにより必要な判断情報が取得されなかった場合に通信機能が停止されないという課題がある。一方で、ユーザの操作により手動で通信機能をオフする場合に、従来、操作が煩雑であって必要なときにユーザが速やかに切り替えられない場合が生じるという課題がある。
【０００７】
この発明の目的は、ユーザが容易且つ速やかに通信機能や電磁波を発生する機能のオンオフを切り替えることが可能な電子時計を提供することにある。
【課題を解決するための手段】
【０００８】
本発明は、上記目的を達成するため、
所定強度以上の電磁波の送信、受信及び発生のうち少なくとも何れかを伴う電磁波動作手段と、
情報の表示を行う表示手段と、
前記表示手段による表示内容を、複数の機能に係る表示内容間で切り替える所定の操作を受け付ける操作手段と、
前記操作手段が第１所定時間連続的に前記所定の操作を受け付け続けた場合に、前記表示手段の表示内容を所定の基本機能に係る基本表示とする出力制御手段と、
前記操作手段が前記第１所定時間より長い第２所定時間連続的に前記所定の操作を受け付け続けた場合に、前記電磁波動作手段の動作可否を動作可能状態と動作禁止状態との間で切り替える電磁波動作設定手段と、
を備えることを特徴とする電子時計である。
【発明の効果】
【０００９】
本発明に従うと、電子時計において、ユーザが容易且つ速やかに通信機能や電磁波を発生する機能のオンオフを切り替えることが出来るという効果がある。
【図面の簡単な説明】
【００１０】
【図１】本発明の電子時計の実施形態を示す正面図である。
【図２】電子時計の内部構成を示すブロック図である。
【図３】機能モードの切り替えについて説明する図である。
【図４】機能モードの切り替えに係る処理の制御手順を示すフローチャートである。
【図５】モード指針による表示について示す図である。
【図６】機能モードの切り替えに係る変形例について説明する図である。
【発明を実施するための形態】
【００１１】
以下、本発明の実施の形態を図面に基づいて説明する。
図１は、本発明の電子時計の実施形態であるアナログ電子時計１の正面図である。
このアナログ電子時計１は、内部に各構成を収めるケーシング２と、ケーシング２内で一方の面（露出面）が外部に露出される文字盤３と、文字盤３の露出面を覆う図示略の透明部材（風防ガラス）と、文字盤３の略中心を回転軸として文字盤３の略全面に亘って回転動作し、文字盤３の外縁付近に設けられた標識や目盛を指し示す秒針６１、分針６２及び時針６３と、文字盤３の露出面とは反対側に当該文字盤３と平行に設けられ、回転動作に応じて文字盤３の４時３０分位置に設けられた開口部４から一の標識が露出される日車６４と、文字盤３の３時位置に設けられた小窓５及び小窓５の内部で回転動作するモード指針６５（指針）と、ケーシング２における文字盤３の露出面に対して側面側に設けられたりゅうずスイッチＣ１及び押しボタンスイッチＢ１、Ｂ２、Ｂ３と、などを備える。
【００１２】
秒針６１、分針６２及び時針６３（まとめて時刻指針６１〜６３とも記す）は、通常、時刻を表示する場合に、それぞれ、時刻の時、分、秒を指し示す。日車６４は、その周縁部に日付を表す標識が順番に等間隔で設けられて、これらの標識のうちの一つが開口部４から露出されることで日付を示す。また、本実施形態のアナログ電子時計１では、時刻指針６１〜６３が各種機能に係る表示や設定にも用いられる。
【００１３】
モード指針６５は、小窓５内部の３時側に設けられた７つの標識（曜日標識）の何れかを指し示すことで曜日を示し、小窓５内部の９時側に設けられた４つの標識のうち、上側（１２時寄り）の３つの標識（機能標識）の何れかを指し示すことで、時刻指針６１〜６３により表示され、また、当該表示に対する操作を受け付ける機能モードの種別を示す。このアナログ電子時計１では、機能モードとしてストップウォッチモード、タイマーモード及びアラーム設定モード（アラームモード）があり、それぞれ、標識「ＳＴ」、標識「ＴＲ」及び標識「ＡＬ」で示される。また、これらの各種機能モードと平行して、無線通信電波の送受信の可否に係る設定（機内モードとも呼ばれる）が可能となっており、この無線通信電波の送受信禁止時に当該禁止を示す標識（禁止標識）として指し示される飛行機形状の標識（飛行機標識）が、機能モード標識の下側（６時側）に設けられている。
これら文字盤３と、時刻指針６１〜６３、日車６４及びモード指針６５とにより表示手段が構成される。
【００１４】
りゅうずスイッチＣ１及び押しボタンスイッチＢ１〜Ｂ３は、それぞれ、ユーザからの入力操作を受け付ける。りゅうずスイッチＣ１は、ケーシング２から２段階の引き出しが可能であり、引き出された状態で回転操作が行われることにより各種設定の切り替えや値の変更が行われる。押しボタンスイッチＢ１〜Ｂ３は、それぞれ、押下されることで機能モードの種別やその動作状態ごとに割り当てられた動作命令を受け付ける。これらのうち、押しボタンスイッチＢ３は、表示される機能モードの切り替えに用いられる。
【００１５】
図２は、アナログ電子時計１の内部構成を示すブロック図である。
アナログ電子時計１は、ＣＰＵ４１（Central Processing Unit）（出力制御手段、電磁波動作設定手段）と、ＲＯＭ４２（Read Only Memory）と、ＲＡＭ４３（Random Access Memory）と、発振回路４４と、分周回路４５と、計時回路４６と、操作部４７（操作手段）と、標準電波受信部４８及びそのアンテナ４９と、ＧＰＳ受信処理部５０及びそのアンテナ５１と、Bluetoothモジュール５２及びそのアンテナ５３と、ＵＡＲＴ５４（Universal Asynchronous Receiver/Transmitter）と、音声出力部５５（音声出力手段）及びそのドライバ５６と、駆動回路５７と、上述の時刻指針６１〜６３、日車６４及びモード指針６５と、輪列機構７１〜７５と、ステッピングモータ８１〜８５などを備える。
【００１６】
ＣＰＵ４１は、各種演算処理を行い、また、アナログ電子時計１の全体動作を統括制御する。ＣＰＵ４１は、日時の表示に係る指針動作を制御すると共に、標準電波受信部４８を動作させて受信データを取得して日時を算出したり、ＧＰＳ受信処理部５０を動作させて日時情報を取得したりする。また、ＣＰＵ４１は、Bluetoothモジュール５２を動作させて外部の電子機器と通信を行い、情報の送受信を行う。
【００１７】
ＲＯＭ４２は、ＣＰＵ４１により実行される各種制御用のプログラムや設定データを格納する。
ＲＡＭ４３は、ＣＰＵ４１に作業用のメモリ空間を提供し、一時データを記憶する。ＲＡＭ４３には、また、日時情報及び位置情報取得の履歴、都市設定や指針位置を示すデータ、Bluetooth通信が行われる外部電子機器の識別情報などの通信データ、当該外部電子機器から受信された設定情報などが記憶されている。
【００１８】
発振回路４４は、所定の周波数信号を生成して出力する。発振回路４４は、例えば、水晶発振器を備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
計時回路４６は、所定の日時を示す初期値に分周回路４５から入力される分周信号を計数して加算していくことにより現在の日時を計数する。この計時回路４６の計数する日時は、ＣＰＵ４１からの制御信号により修正されることが可能となっている。
【００１９】
操作部４７は、ユーザからの入力操作を受け付ける。操作部４７には、上述の押しボタンスイッチＢ１〜Ｂ３やりゅうずスイッチＣ１が含まれる。押しボタンスイッチＢ１〜Ｂ３がそれぞれ押下されたり、りゅうずスイッチＣ１が引き出され、押し戻され、また、引き出された状態で回転動作がなされたりした場合には、動作種別に応じた電気信号がＣＰＵ４１に出力される。
【００２０】
標準電波受信部４８は、アンテナ４９を用いて長波長帯の電波を受信して、振幅変調された標準電波の時刻信号出力（ＴＣＯ）を復調し、受信感度を向上させるための各種処理を行い、アナログ信号を所定のサンプリング周波数でデジタル化した後にＣＰＵ４１へ出力する。標準電波受信部４８による長波長帯の同調周波数は、ＣＰＵ４１の制御により受信対象とされた標準電波送信局からの送信周波数に応じて変更される。
【００２１】
ＧＰＳ受信処理部５０は、アンテナ５１を用いてＬ１帯（１．５７５４２ＧＨｚ）の電波を受信し、測位衛星、例えば、ＧＰＳ（Global Positioning System）に係る測位衛星（ＧＰＳ衛星）からのスペクトラム拡散された送信電波を復調して信号（航法メッセージデータ）を復号、解読する。ＧＰＳ受信処理部５０は、解読された航法メッセージデータの内容に対して、更に、必要に応じて各種演算処理を行い、ＣＰＵ４１からの要求に応じたデータを予め設定されたフォーマットで出力する。ＧＰＳ受信処理部５０の動作は、ＣＰＵ４１により独自にオンオフの制御がなされる。アナログ電子時計１では、ＧＰＳ受信処理部５０を動作させる必要が無い場合や動作を禁止する場合には、ＧＰＳ受信処理部５０への電力供給を中断することが出来る。
【００２２】
Bluetoothモジュール５２は、アンテナ５３を介して外部の電子機器との間でBluetooth通信を行うための制御モジュールである。ＣＰＵ４１から送られた送信データは、ＵＡＲＴ５４でシリアル／パラレル変換などの処理が行われて、Bluetoothモジュール５２で変調され、外部機器に送信される。また、アンテナ５３を介してBluetoothモジュール５２により受信された受信データは、復調された後、ＵＡＲＴ５４でシリアル／パラレル変換などの処理が行われて、ＣＰＵ４１へ出力される。Bluetoothモジュール５２の動作は、ＣＰＵ４１により独自にオンオフの制御がなされる。アナログ電子時計１では、Bluetooth通信を行わない場合や通信が禁止されている場合には、Bluetoothモジュール５２への電力供給を中断することが出来る。
ＧＰＳ受信処理部５０及びBluetoothモジュール５２により電磁波動作手段が構成される。
【００２３】
音声出力部５５は、例えば、圧電素子などに所定の駆動電圧信号を入力することで発振させてビープ音（報知音）を発生させる。ドライバ５６は、ＣＰＵ４１からの制御信号に応じて音声出力部５５を動作させるための駆動電圧信号を音声出力部５５に出力する。この音声出力部５５による音声出力は、ユーザの操作部４７への操作により可否の設定が行われる。
【００２４】
本実施形態の電子時計の動作に必要な電力を供給するバッテリとしては、例えば、ソーラバッテリと二次電池とが用いられる。或いは、バッテリとして着脱交換可能なボタン型の乾電池を用いても良い。また、複数の異なる電圧が供給される場合には、例えば、スイッチング電源などを用いて所望の電圧に変換して出力可能な構成とすることが出来る。
【００２５】
ステッピングモータ８１は、複数の歯車の配列である輪列機構７１を介して秒針６１を回転動作させる。ステッピングモータ８２は、輪列機構７２を介して分針６２を回転動作させる。ステッピングモータ８３は、輪列機構７３を介して時針６３を回転動作させる。ステッピングモータ８４は、輪列機構７４を介して日車６４を回転動作させる。また、ステッピングモータ８５は、輪列機構７５を介してモード指針６５を回転動作させる。
【００２６】
ステッピングモータ８１〜８５が一回駆動されるごとに各指針が何度回転するかは、それぞれ、輪列機構７１〜７５における歯車の配列により定められる。例えば、ここでは、秒針６１及びモード指針６５は、ステッピングモータ８１、８５がそれぞれ１回駆動されるごとに６度回転されるように輪列機構７１、７５が構成され、分針６２及び時針６３は、ステッピングモータ８２、８３がそれぞれ１回駆動されるごとに１度回転されるように輪列機構７２、７３が構成されている。また、ステッピングモータ８４は、例えば、１５０回の駆動で開口部４から露出させる日車６４上の日付標識を１日分変化させる。
【００２７】
時刻指針６１〜６３、日車６４及びモード指針６５は、特には限られないが、正転方向（時刻が進む方向、文字盤３の露出面側から見て右回り）に９０ｐｐｓ（pulse per second）で回転移動可能であり、また、逆転方向に３２ｐｐｓで回転移動可能となっている。
【００２８】
駆動回路５７は、ＣＰＵ４１からの制御信号に従ってステッピングモータ８１〜８５に所定電圧の駆動パルスを出力する。駆動回路５７は、アナログ電子時計１の状態などに応じて駆動パルスの長さ（パルス幅）を変更させることが出来る。また、複数の指針を同時に駆動させる制御信号が入力された場合に、負荷のピーク値を低減させるために僅かに駆動パルスの出力タイミングをずらしたりすることが出来る。
【００２９】
次に、本実施形態のアナログ電子時計１による無線通信の禁止設定及び解除に係る動作について説明する。
【００３０】
図３は、機能モードの切り替えについて説明する図である。
本実施形態のアナログ電子時計１では、押しボタンスイッチＢ３が押下されることで、表示される機能モードの切替が行われる。ここでは、押しボタンスイッチＢ３が一回押下されるごとに、基本時計モード、ストップウォッチモード、タイマーモード、アラーム設定モードの順で変更され、アラーム設定モードにおいて押しボタンスイッチＢ３が再度押下されると、基本時計モードに戻る設定となっている。なお、基本時計モードにおける日時の計数をはじめ、ストップウォッチモードやタイマーモードで計測されている経過時間の計数動作などは、表示される機能モードが変更されても継続される。このとき、音声出力部５５からの音声発信が可能な設定の場合には、変更を示す音声、例えば、短い（例えば、０．１秒間など）ビープ音が１回出力される。
【００３１】
また、このアナログ電子時計１では、押しボタンスイッチＢ３が連続的に２秒間（第１所定時間）押下されることで、何れの機能モードに係る表示が行われている状態であっても、直接基本時計モード（基本機能）に復帰する。このとき、音声出力部５５からの音声発信が可能な設定の場合には、上述の変更を示す音声とは異なる音声、例えば、短いビープ音が連続して２回（例えば、０．３秒間隔など）出力されることで、基本時計モードへの直接復帰が報知される。
【００３２】
本実施形態のアナログ電子時計１では、また、押しボタンスイッチＢ３が連続して４秒間（第２所定時間）押下されることで、強い（所定強度の）電磁波を発生する無線通信可否（動作可否）に係る設定が動作可能状態と動作禁止状態との間で交互に切り替えられる。即ち、このアナログ電子時計１では、押しボタンスイッチＢ３が押下された段階で機能モードが１つ変更され、２秒間押下された段階で基本時計モードに移行し、４秒間押下された段階で無線通信可否に係る設定が切り替えられる。従って、無線通信の可否が切り替えられた後には、必ず基本時計モードになる。このとき、音声出力部５５からの音声発信が可能な設定の場合には、上述の２パターンの音声とは更に異なるパターンの音声、例えば、長い（例えば、０．５秒間など）ビープ音が１回出力されることで、無線通信可否に係る設定が切り替えられたことが報知される。
【００３３】
図４は、本実施形態のアナログ電子時計１において実行される操作受付処理のうち、機能モードの切り替えに係る処理のＣＰＵ４１による制御手順を示すフローチャートである。
【００３４】
この操作受付処理は、ユーザによる操作部４７の押しボタンスイッチＢ１〜Ｂ３又はりゅうずスイッチＣ１の何れかのスイッチ操作に係る入力信号がＣＰＵ４１に入力されることで開始される。
【００３５】
操作受付処理が開始されると、ＣＰＵ４１は、先ず、押しボタンスイッチＢ３が押下されたか否かを判別する（ステップＳ１０１）。或いは、単にどのスイッチが操作されたかを判別しても良い。このとき、ＣＰＵ４１は、スイッチが操作されてからの継続時間（操作受付処理が開始されてからの継続時間でも良い）の計数を開始する。押しボタンスイッチＢ３が押下されたのではない（押しボタンスイッチＢ３以外のスイッチが操作された）と判別された場合には（ステップＳ１０１で“ＮＯ”）、ＣＰＵ４１は、当該操作されたスイッチ、機能モード及び動作状態に応じた処理を実行する。
【００３６】
押しボタンスイッチＢ３が押下されたと判別された場合には（ステップＳ１０１で“ＹＥＳ”）、ＣＰＵ４１は、現在の機能モードから次の機能モードに移行させる（ステップＳ１０２）。ＣＰＵ４１は、表示内容を当該次の機能モードに係るものに変更する。
【００３７】
ＣＰＵ４１は、押しボタンスイッチＢ３が押下された状態が継続されているか否かを判別する（ステップＳ１０３）。継続していない（既に押下されていない）と判別された場合には（ステップＳ１０３で“ＮＯ”）、ＣＰＵ４１は、操作受付処理を終了する。継続していると判別された場合には（ステップＳ１０３で“ＹＥＳ”）、ＣＰＵ４１は、ステップＳ１０１で計数が開始された継続時間が２秒以上となったか否かを判別する（ステップＳ１０４）。２秒以上となっていないと判別された場合には（ステップＳ１０４で“ＮＯ”）、ＣＰＵ４１の処理は、ステップＳ１０３に戻る。
なお、ＣＰＵ４１は、押しボタンスイッチＢ３が押下されたと判別された場合には（ステップＳ１０１で“ＹＥＳ”）、ステップＳ１０２の処理を行わずにステップＳ１０３へ処理を移行させ、ステップＳ１０３の判別処理で、押しボタンスイッチＢ３が押下された状態が継続していないと判別された場合に（ステップＳ１０３で“ＮＯ”）、現在の機能モードから次の機能モードに移行させる（ステップＳ１０２）ようにしても良い。
【００３８】
継続時間が２秒以上となったと判別された場合には（ステップＳ１０４で“ＹＥＳ”）、ＣＰＵ４１は、機能モードを基本時計モードに移行させる（ステップＳ１０５）。ＣＰＵ４１は、駆動回路５７に制御信号を出力して、時刻指針６１〜６３による表示内容を基本時計モードにおける基本表示に変更させると共に、モード指針６５を現在の曜日位置に移動させる。
【００３９】
それから、ＣＰＵ４１は、押下状態が継続されているか否かを判別する（ステップＳ１０６）。継続されていないと判別された場合には（ステップＳ１０６で“ＮＯ”）、ＣＰＵ４１は、操作受付処理を終了する。
【００４０】
押下状態が継続されていると判別された場合には（ステップＳ１０６で“ＹＥＳ”）、ＣＰＵ４１は、押下状態の継続時間が４秒以上であるか否かを判別する（ステップＳ１０７）。４秒以上ではないと判別された場合には（ステップＳ１０７で“ＮＯ”）、ＣＰＵ４１の処理は、ステップＳ１０６に戻る。
【００４１】
押下状態の継続時間が４秒以上であると判別された場合には（ステップＳ１０７で“ＹＥＳ”）、ＣＰＵ４１は、現在、無線通信を禁止する設定がなされているか否かを判別する（ステップＳ１０８）。無線通信禁止の設定がなされていると判別された場合には（ステップＳ１０８で“ＹＥＳ”）、ＣＰＵ４１は、当該無線通信禁止の設定を解除する（ステップＳ１１０）。ＣＰＵ４１は、モード指針６５を現在の曜日位置に移動させる。そして、ＣＰＵ４１は、操作受付処理を終了する。
【００４２】
無線通信禁止の設定がなされていないと判別された場合には（ステップＳ１０８で“ＮＯ”）、ＣＰＵ４１は、無線通信を禁止する設定を行う（ステップＳ１０９）。ＣＰＵ４１は、駆動回路５７に制御信号を出力して、モード指針６５を飛行機標識の位置に移動させる。このとき、ＧＰＳ衛星からの電波受信中や他の電子機器とBluetooth通信中である場合には、電波受信や通信動作の終了処理を行う。そして、ＣＰＵ４１は、操作受付処理を終了する。
【００４３】
図５は、モード指針６５による表示について示す図である。
【００４４】
図５（ａ）に示すように、基本時計モードでは、モード指針６５は、小窓５内において、曜日標識のうちの何れかを指し示す。ここでは、曜日標識「ＳＵ」が指し示されることで、基本時計モードであり、且つ、日曜日であることが示されている。
【００４５】
一方、ストップウォッチモード、タイマーモード又はアラーム設定モードの何れかの機能に係る表示が行われている場合には、モード指針６５は、小窓５内において、それぞれ、機能標識「ＳＴ」、「ＴＲ」、「ＡＬ」を指し示す。例えば、ストップウォッチモードでは、図５（ｂ）に示されるように、機能標識「ＳＴ」がモード指針６５により指し示されている。この間、曜日の表示は行われない。
【００４６】
図５（ｃ）に示すように、無線通信禁止（機内モード）の設定がなされた場合には、基本時計モードにおいて、曜日標識の代わりに飛行機標識がモード指針６５によって指し示される。上述のように、無線通信の禁止設定がなされる場合又は解除される場合には、必ず一度基本時計モードに移行するので、モード指針６５により曜日標識又は飛行機標識の何れが指し示されているかにより、無線通信の禁止設定がなされた又は解除されたことが示される。
【００４７】
無線通信の禁止設定がなされている間でも、ストップウォッチ、タイマ及びアラーム設定の各モードにおける表示及び動作は、可能である。無線通信の禁止設定中にこれらの機能モードに係る表示状態に移行した場合には、モード指針６５により該当する機能標識が指し示される。例えば、図５（ｄ）に示すように、アラーム設定モードでは、標識「ＡＬ」がモード指針６５により指し示される。この間、無線通信の禁止設定がなされているかは、表示されない。
【００４８】
［変形例］
図６は、本実施形態のアナログ電子時計１における機能モードの切り替えに係る変形例について説明する図である。
【００４９】
この変形例のアナログ電子時計１では、ＣＰＵ４１は、操作部４７から出力される操作信号に基づいて、操作部４７からの操作信号が途切れた場合、即ち、押しボタンスイッチＢ１〜Ｂ３の押下が終了したタイミングを検出して（リリース検知）動作を行う。
【００５０】
基本時計モードにおいて、押しボタンスイッチＢ３の押下状態が終了すると、押下中に計数されていた押下継続時間が取得される。継続時間が２秒未満の場合には、ストップウォッチモードに移行し、２秒以上４秒未満の場合には、基本時計モード、即ち、モードの変更はなく、４秒以上の場合には、無線通信の可否に係る設定が切り替えられる。
【００５１】
同様に、ストップウォッチモード、タイマーモード及びアラーム設定モードの各状態で継続時間が２秒未満であった場合には、それぞれ、タイマーモード、アラーム設定モード及び基本時計モードに移行する。２秒以上４秒未満であった場合には、何れの場合でも基本時計モードに移行する。４秒以上であった場合には、何れの場合であっても、無線通信の可否に係る設定の切替が行われ、また、基本時計モードに移行する。
これらの場合、４秒が経過した時点で、それ以上の押しボタンスイッチＢ３の押下継続有無に拘わらず、無線通信可否の設定を切り替え、また、基本時計モードに移行させても良い。同様に、ユーザが無線通信可否の切り替えを行わず、単に基本時計モードへ戻したい場合に、２秒以上４秒未満の継続時間を計って押しボタンスイッチＢ３を押下する手間を避けるために、２秒未満の通常の押下操作に対してのみリリース検知に伴う動作を行い、２秒以上の長押しに対しては、当該時間が経過した時点で動作を行わせても良い。
【００５２】
このように、リリース検知により機能モードを切り替える場合には、無線通信可否の設定が切り替えられる前に次の他の機能モードへの不要な切り替え動作が発生しない。
【００５３】
以上のように、本実施形態のアナログ電子時計１は、Bluetooth通信時に所定強度以上の電磁波を送信するBluetoothモジュール５２と、動作時に電磁波を発生するＧＰＳ受信処理部５０と、文字盤３に対して回転動作する時刻指針６１〜６３、日車６４及び小窓５内で回転動作するモード指針６５と、これらの指針による表示内容を、複数の機能に係る表示内容間で切り替える押しボタンスイッチＢ３の押下操作を受け付ける操作部４７と、ＣＰＵ４１と、を備える。ＣＰＵ４１は、押しボタンスイッチＢ３が２秒間連続的に押下された場合に、指針による表示内容を基本時計モードとし、押しボタンスイッチが４秒間押下された場合に、Bluetoothモジュール５２やＧＰＳ受信処理部５０の動作可否に係る設定を動作可能状態と動作禁止状態との間で切り替える。
従って、ユーザの動作状態などに応じて異なる煩雑な動作を必要とせず、直接的な動作で容易且つ速やかに通信機能や電波を受信、発生する機能のオンオフを切り替えることが可能となる。また、ユーザがこれらの機能のオンオフを速やかに切り替えられずに問題が生じる事態を避けることが出来る。
【００５４】
また、ＣＰＵ４１は、基本時計モードにおいてモード指針６５に機内モード（通信動作禁止）の設定を示す飛行機標識を指し示させる一方、機内モード設定がなされていない場合には、曜日標識の何れかを指し示させることで、機内モードの設定有無をユーザに知得させることが出来る。特に、通信動作可否の切り替え設定時には、それまでの表示状態に依らず必ず基本時計モードでの表示となっているので、ユーザの意図する切り替えが適切になされたか否かを即座且つ確実に視認することが出来る。
【００５５】
また、特に、文字盤３に対して回転動作する時刻指針６１〜６４、日車６４及びモード指針６５による表示が行われるアナログ電子時計１において、各機能の実施時には、モード指針６５に当該機能を示す機能標識を指し示させ、基本時計モードに係る表示中には、飛行機標識又は曜日標識を指し示させることで、一本の指針で効率良く必要な表示を行わせることが出来る。特に、基本時計モードで相対的に常時表示の必要性の低い曜日標識の代わりに飛行機標識を指し示させることで、影響を最小限に抑えつつアナログ電子時計１における機能モード及び通信動作の可否に係る表示を的確に行って、ユーザがアナログ電子時計１の状態を把握出来なくなる状況を避けて容易な操作を可能としている。
【００５６】
また、所定の報知音を出力する音声出力部５５を備え、ＣＰＵ４１は、動作可否の切り替え時に、例えば、表示内容の順次切り替え時に出力する短い（０．１秒間以下など）単音１回のビープ音による報知を行わせる一方、無線通信動作のオンオフ設定切り替え時には、この単音報知とは異なる音声出力パターン、例えば、０．５秒間以上の長音で報知音出力を行わせる。
従って、経過時間に応じて、現在どの処理が行われたかを知得することが出来、ユーザは、報知音に基づいて当該長音が聞こえるまで押しボタンスイッチＢ３を押下し続ければ良い。即ち、ユーザがモード指針６５の動作を見ながら押下時間を考慮する必要が無い。
【００５７】
なお、本発明は、上記実施の形態に限られるものではなく、様々な変更が可能である。
例えば、上記実施の形態では、アナログ電子時計１を例に挙げて説明したが、デジタル表示画面を備えたデジタル電子時計であっても良い。この場合、曜日の表示領域に機内モードを示す表示を行わせても良いし、別途機内モードを示すセグメントを用意して点灯又は消灯の制御を行うことで、曜日表示と並列に表示可能としても良い。
【００５８】
同様にアナログ電子時計であっても、機能モードを示す指針と機内モードを示す指針とが別途設けられる場合には、これらを同時に表示させても良い。或いは、指針による表示とデジタル表示画面とが併用された電子時計の場合には、デザインや機能に応じて適宜どちらかで機内モードの設定に係る表示を行わせることが出来る。
【００５９】
また、上記実施の形態では、押しボタンスイッチＢ３を押下する時間に基づいて機能モード及び電波受信の動作可否の設定を行ったが、他の容易な動作、例えば、タッチパネル機能を有する場合に、所定箇所へのタッチ時間に基づいてこれらの設定を行っても良い。
【００６０】
また、上記実施の形態では、Bluetooth通信とＧＰＳ受信処理部による測位衛星からの電波受信の動作禁止について説明したが、他の通信方法も適宜用いることが出来る。このとき、標準電波が送信されている長波長電波の受信動作や赤外線通信に関しては、航空機内での受信禁止対象とならないが、他のBluetoothモジュール５２やＧＰＳ受信処理部５０と共に機内モード時に併せて動作禁止とさせても良い。同様に、本発明は、ＵＷＢ（ＩＥＥＥ８０２．１５．３ａ）、Ｚｉｇｂｅｅ（登録商標、ＩＥＥＥ８０２．１５．４）や無線ＬＡＮ（ＩＥＥＥ８０２．１１ｎ）などの動作状態可否の切り替えに用いることが出来る。更に、これらの通信手段や受信手段のうち停止動作が必須ではないものについて、何れを機内モードでオフさせるかについて、予めユーザの手動操作で設定可能としても良い。また、その他、所定強度の電磁波を発生させる電子機器に当たる行為、例えば、外部充電器（電磁誘導によるものなど）を用いた充電機能などを有する場合には、当該動作を禁止する設定とすることが出来る。
【００６１】
また、上記実施の形態では、押しボタンスイッチＢ３によって切り替えられる機能モードの種別として基本時計モード、ストップウォッチモード、タイマーモード及びアラーム設定モードを挙げたが、その他のものが含まれていても良い。このとき、機能モード中に測位に係るモードやBluetooth通信の動作に係るモードがある場合、通信動作禁止設定中には、これらのモードをスキップして選択させないこととしても良いし、履歴の表示や各種設定動作のみが可能としても良い。
【００６２】
また、上記実施の形態では、設定された都市の時刻表示を行う基本時計モードを基本機能としたが、他の機能モードがメインのもの、例えば、時刻表示（時計）機能を有するストップウォッチなどでは、長押しにより、当該ストップウォッチ機能に移動させると共に、更に、無線通信動作の可否の切り替えを行わせることも出来る。
その他、上記実施の形態で示した構成、配置や制御手順などの具体的な細部は、本発明の趣旨を逸脱しない範囲において適宜変更可能である。
【００６３】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６４】
［付記］
＜請求項１＞
所定強度以上の電磁波の送信、受信及び発生のうち少なくとも何れかを伴う電磁波動作手段と、
情報の表示を行う表示手段と、
前記表示手段による表示内容を、複数の機能に係る表示内容間で切り替える所定の操作を受け付ける操作手段と、
前記操作手段が第１所定時間連続的に前記所定の操作を受け付け続けた場合に、前記表示手段の表示内容を所定の基本機能に係る基本表示とする出力制御手段と、
前記操作手段が前記第１所定時間より長い第２所定時間連続的に前記所定の操作を受け付け続けた場合に、前記電磁波動作手段の動作可否を動作可能状態と動作禁止状態との間で切り替える電磁波動作設定手段と、
を備えることを特徴とする電子時計。
＜請求項２＞
前記出力制御手段は、少なくとも前記基本表示が行われている間、前記表示手段に前記動作可否に応じた表示を行わせることを特徴とする請求項１記載の電子時計。
＜請求項３＞
前記出力制御手段は、前記表示手段の現在の表示内容に係らず、前記操作手段が前記第１所定時間連続的に前記所定の操作を受け付け続けた場合に、前記基本表示とすることを特徴とする請求項１又は２記載の電子時計。
＜請求項４＞
前記表示手段は、前記複数の機能の各々を示す機能標識及び前記動作禁止状態を示す禁止標識が設けられた文字盤と、前記文字盤に対して回動可能に配置された指針と、を有し、
前記出力制御手段は、前記表示手段に前記基本表示を行わせていない場合に、前記表示手段による表示内容に係る機能に対応する前記機能標識を前記指針に指し示させ、前記基本表示を行わせている場合に、前記指針に前記禁止標識を指し示させることで前記動作禁止状態を示す表示を行う
ことを特徴とする請求項２又は３記載の電子時計。
＜請求項５＞
所定の報知音を出力する音声出力手段を備え、
前記出力制御手段は、前記動作可否の切り替え時に、前記表示手段による表示内容の切り替え時に出力する報知音とは異なるパターンで報知音出力を行わせる
ことを特徴とする請求項１〜４の何れか一項に記載の電子時計。
【符号の説明】
【００６５】
１     アナログ電子時計
２     ケーシング
３     文字盤
４     開口部
５     小窓
４１   ＣＰＵ
４２   ＲＯＭ
４３   ＲＡＭ
４４   発振回路
４５   分周回路
４６   計時回路
４７   操作部
４８   標準電波受信部
４９   アンテナ
５０   ＧＰＳ受信処理部
５１   アンテナ
５２   Bluetoothモジュール
５３   アンテナ
５４   ＵＡＲＴ
５５   音声出力部
５６   ドライバ
５７   駆動回路
６１   秒針
６２   分針
６３   時針
６４   日車
６５   モード指針
７１   輪列機構
７２   輪列機構
７３   輪列機構
７４   輪列機構
７５   輪列機構
８１   ステッピングモータ
８２   ステッピングモータ
８３   ステッピングモータ
８４   ステッピングモータ
８５   ステッピングモータ
Ｂ１〜Ｂ３    押しボタンスイッチ
Ｃ１   りゅうずスイッチ
【図１】
2015184236.tif 000003
【図２】
2015184236.tif 000004
【図３】
2015184236.tif 000005
【図４】
2015184236.tif 000006
【図５】
2015184236.tif 000007
【図６】
2015184236.tif 000008
【手続補正書】
【提出日】平成27年2月17日(2015.2.17)
【手続補正１】
【補正対象書類名】明細書
【補正対象項目名】０００８
【補正方法】変更
【補正の内容】
【０００８】
本発明は、上記目的を達成するため、
所定強度以上の電磁波の送信、受信及び発生のうち少なくとも何れかを伴う動作をする動作手段と、
情報の表示を行う表示手段と、
前記表示手段による表示内容を、複数の機能に係る表示内容間で切り替える所定の操作を受け付ける受付手段と、
前記受付手段が第１所定時間連続的に前記所定の操作を受け付け続けた場合に、前記表示手段の表示内容を所定の基本機能に係る基本表示とする出力制御手段と、
前記受付手段が前記第１所定時間より長い第２所定時間連続的に前記所定の操作を受け付け続けた場合に、前記動作手段の動作可否を動作可能状態と動作禁止状態との間で切り替える設定手段と、
を備えることを特徴とする電子時計である。
【手続補正２】
【補正対象書類名】明細書
【補正対象項目名】００１５
【補正方法】変更
【補正の内容】
【００１５】
図２は、アナログ電子時計１の内部構成を示すブロック図である。
アナログ電子時計１は、ＣＰＵ４１（Central Processing Unit）（出力制御手段、設定手段）と、ＲＯＭ４２（Read Only Memory）と、ＲＡＭ４３（Random Access Memory）と、発振回路４４と、分周回路４５と、計時回路４６と、操作部４７（受付手段）と、標準電波受信部４８及びそのアンテナ４９と、ＧＰＳ受信処理部５０及びそのアンテナ５１と、Bluetoothモジュール５２及びそのアンテナ５３と、ＵＡＲＴ５４（Universal Asynchronous Receiver/Transmitter）と、音声出力部５５（音声出力手段）及びそのドライバ５６と、駆動回路５７と、上述の時刻指針６１〜６３、日車６４及びモード指針６５と、輪列機構７１〜７５と、ステッピングモータ８１〜８５などを備える。
【手続補正３】
【補正対象書類名】明細書
【補正対象項目名】００２２
【補正方法】変更
【補正の内容】
【００２２】
Bluetoothモジュール５２は、アンテナ５３を介して外部の電子機器との間でBluetooth通信を行うための制御モジュールである。ＣＰＵ４１から送られた送信データは、ＵＡＲＴ５４でシリアル／パラレル変換などの処理が行われて、Bluetoothモジュール５２で変調され、外部機器に送信される。また、アンテナ５３を介してBluetoothモジュール５２により受信された受信データは、復調された後、ＵＡＲＴ５４でシリアル／パラレル変換などの処理が行われて、ＣＰＵ４１へ出力される。Bluetoothモジュール５２の動作は、ＣＰＵ４１により独自にオンオフの制御がなされる。アナログ電子時計１では、Bluetooth通信を行わない場合や通信が禁止されている場合には、Bluetoothモジュール５２への電力供給を中断することが出来る。
ＧＰＳ受信処理部５０及びBluetoothモジュール５２により動作手段が構成される。
【手続補正４】
【補正対象書類名】特許請求の範囲
【補正対象項目名】全文
【補正方法】変更
【補正の内容】
【特許請求の範囲】
【請求項１】
所定強度以上の電磁波の送信、受信及び発生のうち少なくとも何れかを伴う動作をする動作手段と、
情報の表示を行う表示手段と、
前記表示手段による表示内容を、複数の機能に係る表示内容間で切り替える所定の操作を受け付ける受付手段と、
前記受付手段が第１所定時間連続的に前記所定の操作を受け付け続けた場合に、前記表示手段の表示内容を所定の基本機能に係る基本表示とする出力制御手段と、
前記受付手段が前記第１所定時間より長い第２所定時間連続的に前記所定の操作を受け付け続けた場合に、前記動作手段の動作可否を動作可能状態と動作禁止状態との間で切り替える設定手段と、
を備えることを特徴とする電子時計。
【請求項２】
前記出力制御手段は、少なくとも前記基本表示が行われている間、前記表示手段に前記動作可否に応じた表示を行わせることを特徴とする請求項１記載の電子時計。
【請求項３】
前記出力制御手段は、前記表示手段の現在の表示内容に係らず、前記受付手段が前記第１所定時間連続的に前記所定の操作を受け付け続けた場合に、前記基本表示とすることを特徴とする請求項１又は２記載の電子時計。
【請求項４】
前記表示手段は、前記複数の機能の各々を示す機能標識及び前記動作禁止状態を示す禁止標識が設けられた文字盤と、前記文字盤に対して回動可能に配置された指針と、を有し、
前記出力制御手段は、前記表示手段に前記基本表示を行わせていない場合に、前記表示手段による表示内容に係る機能に対応する前記機能標識を前記指針に指し示させ、前記基本表示を行わせている場合に、前記指針に前記禁止標識を指し示させることで前記動作禁止状態を示す表示を行う
ことを特徴とする請求項２又は３記載の電子時計。
【請求項５】
所定の報知音を出力する音声出力手段を備え、
前記出力制御手段は、前記動作可否の切り替え時に、前記表示手段による表示内容の切り替え時に出力する報知音とは異なるパターンで報知音出力を行わせる
ことを特徴とする請求項１〜４の何れか一項に記載の電子時計。